(57)【要約】【課題】誘導コイルが外れる等の異常状態が発生した場合にも、高周波雑音を増加させることなく異常状態の検出感度を向上させた無電極放電灯点灯装置及び照明装置を提供する。【解決手段】直流電源と、直流電源の両端に接続され少なくとも１つのスイッチング素子Ｑ４を有するとともに直流電源を高周波電源に変換する電力変換回路３と、電力変換回路３の両端に接続され電力変換回路３からの高周波電力が印加される誘導コイル５と、誘導コイル５に近接配置され高周波電力により点灯する無電極放電灯６と、一端が直流電源の負側に接続されるとともに直流電源の負側の電位と高周波電圧の小さい側のピーク電位とが異なる場合には通常点灯時よりも無電極放電灯６の消費電力が小さくなるようにスイッチング素子Ｑ４を制御する制御手段と、を備えている。【選択図】　　　　図１
2004139852.tif 000002
【特許請求の範囲】
【請求項１】
直流電源と、直流電源の両端に接続され少なくとも１つのスイッチング素子を有するとともに直流電源を高周波電源に変換する電力変換回路と、電力変換回路の両端に接続され電力変換回路からの高周波電力が印加される誘導コイルと、誘導コイルに近接配置され高周波電力により点灯する無電極放電灯と、一端が直流電源の負側に接続されるとともに直流電源の負側の電位と高周波電圧の小さい側のピーク電位とが異なる場合には通常点灯時よりも無電極放電灯の消費電力が少なくとも小さくなるようにスイッチング素子を制御する制御手段と、を備えたことを特徴とする無電極放電灯点灯装置。
【請求項２】
電力変換回路と誘導コイルとを接続する電線及び直流電源と制御手段とを接続する電線を一括する一括電線を備えたことを特徴とする請求項１記載の無電極放電灯点灯装置。
【請求項３】
一括電線は同軸線であることを特徴とする請求項２記載の無電極放電灯点灯装置。
【請求項４】
直流電源の負側の電位と高周波電圧の小さい側のピーク電位とが所定の時間異なる場合には、通常点灯時よりも無電極放電灯の消費電力が少なくとも小さくなるようにスイッチング素子を制御することを特徴とする請求項１記載の無電極放電灯点灯装置。
【請求項５】
直流電源の負側の電位と高周波電圧の小さい側のピーク電位とが異なる場合において、再び直流電源の負側の電位と高周波電圧の小さい側のピーク電位が同じになったときは同電位になったことを検出する検出手段を設け、所定の時間無電極放電灯に電力が供給されないようにスイッチング素子を制御することを特徴とする請求項１記載の無電極放電灯点灯装置。
【請求項６】
無電極放電灯に電力が供給されないようにスイッチング素子を制御する解除手段を設け、解除手段に解除信号が入力されるまでは無電極放電灯に電力が供給されないようにスイッチング素子を制御することを特徴とする請求項５記載の無電極放電灯点灯装置。
【請求項７】
無電極放電灯が、少なくとも水銀及び希ガスを含む放電ガスが内部に封入されており断面凹形状の空洞部を有する略球形状のバルブと、空洞部内に配設され放電ガスに高周波電磁界を供給する誘導コイルと、誘導コイルが巻回される磁気性材料で円筒状のコアと、コアの内側であってコアと接触する熱伝導性材料の部材と、を備えたことを特徴とする請求項１から６のいずれかに記載の無電極放電灯点灯装置。
【請求項８】
請求項１から６のいずれかに記載の無電極放電灯点灯装置を備え、請求項７記載の無電極放電灯を点灯させることを特徴とする照明装置。
【発明の詳細な説明】
【０００１】
【発明の属する技術分野】
本発明は内部に放電ガスを封入したバルブに高周波電磁界を印加して発光させる無電極放電灯を点灯させる無電極放電灯点灯装置及び照明装置に関する。
【０００２】
【従来の技術】
この種の従来例として、たとえば、特開２０００−１００５８９号公報ものが挙げられる（以下、従来例１という。）。図１３及び図１４はこの従来例１の回路図を示している。図１３中、Ｊ１は発振回路、Ｊ２はプリアンプ、Ｊ３はメインアンプ、Ｊ４はマッチング回路、Ｊ５は誘導コイル、Ｊ６は無電極放電灯、Ｊ７はフィルタ回路、Ｊ８は保護回路である。発振回路Ｊ１は、水晶振動子ＪＸとトランジスタＪＱ１を有する無調整の発振器であり、コイルＪＬ１とコンデンサＪＣ１により低Ｑの同調回路を構成している。プリアンプＪ２は、発振回路Ｊ１の高周波出力をトランジスタ（パワーＭＯＳＦＥＴ）ＪＱ２によりＣ級増幅し、コイルＪＬ２とコンデンサＪＣ２により発振周波数に同調するようにしている。プリアンプＪ２の出力は駆動トランスＪＴ１を介してメインアンプＪ３のトランジスタ（パワーＭＯＳＦＥＴ）ＪＱ３、ＪＱ４に供給されている。メインアンプＪ３は、プリアンプＪ２の出力をさらに電力増幅して高周波電力を出力する。メインアンプＪ３の出力は、マッチング回路Ｊ４を介して誘導コイルＪ５に供給され、無電極放電灯Ｊ６を点灯させるものである。
【０００３】
ここで、マッチング回路Ｊ４は、メインアンプＪ３の出力と後段の無電極放電灯Ｊ６及び高周波電力供給用の誘導コイルＪ５との間に設けられ、両方のインピーダンスのマッチングを取り、反射を無くして無電極放電灯Ｊ６に効率良く高周波電力を伝達するようにインピーダンス整合を行っているものである。無電極放電灯Ｊ６は、ガラスバルブ内に不活性ガス、金属蒸気などの放電ガスを封入したものであり、ガラスバルブの外周には近接して数ターンの空心コイルである高周波電力供給用の誘導コイルＪ５が巻回され、高周波電力を無電極放電灯Ｊ６内の放電ガスに供給している。フィルタ回路Ｊ７はインダクタＪＬ３とコンデンサＪＣ３で構成されたローパスフィルタであり、直流電源ＪＥとメインアンプＪ３の間に挿入されて、高周波が電源に帰還することを防いでいる。保護回路Ｊ８は、直流電源ＪＥの出力電流を抵抗ＪＲ１により検出し、過電流を検出すると、プリアンプＪ２のトランジスタＪＱ２及びメインアンプＪ３のトランジスタＪＱ４の制御入力端子（ゲート・ソース間）をクランプし、無電極放電灯Ｊ６を停止させるものである。
【０００４】
ここで、保護回路Ｊ８の回路構成について図１４により説明する。
【０００５】
保護回路Ｊ８の電源は、回路グランドと同電位である端子ＪＡと直流電源ＪＥの正側と接続されている端子ＪＣとから供給されている。そして、この電源電圧は抵抗ＪＲ３、ＪＲ４により分圧されて、コンパレータＪＩＣ１の正入力端子に基準電圧として印加されている。また、検出信号が抵抗ＪＲ１を介してコンパレータＪＩＣ１の負入力端子に印加されている。コンパレータＪＩＣ１の出力電圧は、ダイオードＪＤ７及び抵抗ＪＲ９等を介して、トランジスタＪＱ５の制御入力端子（ＭＯＳＦＥＴのゲート）に印加されている。トランジスタＪＱ５は、ダイオードＪＤ１、ＪＤ２を介してプリアンプＪ２のトランジスタＪＱ２と、メインアンプＪ３のトランジスタＪＱ４の制御入力端子間に接続されている。
【０００６】
上記のような構成による動作を以下に説明する。
【０００７】
いま、何らかの原因、たとえば、無電極放電灯Ｊ６の異常によるインピーダンスの変化、無電極放電灯Ｊ６の未装着、破損又は高周波電力供給手段の異常等により過電流が抵抗ＪＲ１に流れると、抵抗ＪＲ１の両端に過電圧が発生する。
【０００８】
すると、コンパレータＩＣ１の負入力端子に印加された検出電圧がコンパレータＩＣ１の正入力端子に印加された基準電圧（抵抗ＪＲ３、ＪＲ４の分圧電圧）よりも高くなり、コンパレータＩＣ１はＬｏｗレベルを出力する。すると、コンパレータＩＣ３の正入力端子の電圧Ｖ＋は負入力端子の電圧Ｖ−よりも大となり、コンパレータＩＣ３の出力がＨｉｇｈレベルとなる。すると、トランジスタＪＱ５がオン状態となり、トランジスタＪＱ２及びＪＱ４のゲート・ソース間が短絡され、各トランジスタのゲート電圧は零となり、プリアンプＪ２及びメインアンプＪ３での増幅が行われず、無電極放電灯Ｊ６は消灯する。ここで、プリアンプＪ２のトランジスタＪＱ２のゲート・ソース間を短絡するだけでも無電極放電灯Ｊ６は消灯するはずであるが、メインアンプＪ３の回路のＱが高く、トランジスタＪＱ２のゲート・ソース間を短絡しても寄生発振が生じて、完全に消灯しない場合がある。そこで、トランジスタＪＱ４のゲート・ソース間も同時に短絡することにより、完全に消灯するようにしている。
【０００９】
プリアンプＪ２及びメインアンプＪ３での増幅が行われず、無電極放電灯Ｊ６が消灯すると、抵抗ＪＲ１には過電流が流れなくなる。そうすると、コンパレータＪＩＣ１の負入力端子に印加される電圧が基準電圧よりも低くなり、トランジスタＪＱ５がオフ状態となり、トランジスタＪＱ２、ＪＱ４のゲート・ソース間が開放され、ゲート電圧が発生し、プリアンプＪ２及びメインアンプＪ３での増幅が行われ、無電極放電灯Ｊ６は点灯する。
【００１０】
このように、何らかの異常が発生した場合には、その異常が解除されるまで無電極放電灯Ｊ６を点滅制御して、直流電源ＪＥからの入力電流の平均値を制限することにより、高周波電力供給手段を保護している。
【００１１】
また別の従来例として、たとえば、特表２００１−５２２５２４９号公報のものが挙げられる（以下、従来例２という。）。図１５はこの従来例２の回路図を示している。図１５中、回路装置は電圧供給の役割をする電源電圧端子ｊ１０、ｊ１１を備えた電源電圧入力端を有する。電源電圧入力端には、フィルタとこのフィルタの後に接続されている電源電圧整流器ＧＬ１とが接続されている。このフィルタは、回路装置から電源に与えられる高周波の電圧成分を低減する。電源電圧整流器ＧＬ１の直流電圧出力端には、電源からの正弦波状の電流取出しを保証する昇圧回路ＨＳ１が接続されている。昇圧回路ＨＳ１の出力端に並列に中間回路コンデンサＣ３０が接続され、この中間回路コンデンサＣ３０から後段に接続されているハーフブリッジインバータＨＷ１に対する供給電圧が与えられる。ハーフブリッジインバータＨＷ１及び昇圧回路ＨＳ１のスイッチングトランジスタの駆動は集積回路ＩＣ１により行われる。集積回路ＩＣ１はその供給電圧を電圧供給端子ｊ１４と接地電位にある別の端子ｊ１５とを介して与えられる。
【００１２】
ハーフブリッジインバータＨＷ１には、共振インダクタンスＬ３０、コンデンサＣ３１、Ｃ３２及び電気端子ｊ１２、ｊ１３を有する共振回路として構成された負荷回路が接続されている。電気端子ｊ１２、ｊ１３はコンデンサＣ３１、Ｃ３２に対して並列に接続され、無電極式放電ランプＬＰ１を接続するための、すなわち無電極式放電ランプＬＰ１の少なくとも１つの誘導コイルＬ３１を接続するための役割をする。コンデンサＣ３０、Ｃ３１、Ｃ３２のそれぞれ１つの端子は接地電位にある分岐点Ｖ１１に接続されている。コンデンサＣ３２は端子ｊ１３を直流的に接地端子Ｖ１１から脱結合する。
【００１３】
図１５に示されている実施例２はさらに、一方では中間回路コンデンサＣ３０の正極と、他方では負荷回路のなかの取出し点Ｖ１０と接続されているオーム抵抗Ｒ３０を有する。集積回路ＩＣ１に対する供給電流は、中間回路コンデンサＣ３０の正極から出発して、抵抗Ｒ３０、共振インダクタンスＬ３０、電気端子ｊ１２、無電極式放電ランプＬＰ１の少なくとも１つの誘導コイルＬ３１及び電気端子ｊ１３を経て集積回路ＩＣ１の正の電圧供給端子ｊ１４へ流れる。
【００１４】
ランプＬＰ１の不存在の際、すなわち誘導コイルＬ３１が接続されていない際には、端子ｊ１２、ｊ１３の間の直流電流経路は中断されている。その場合、集積回路ＩＣ１は、電圧入力端ｊ１０、ｊ１１に電源電圧が与えられているにもかかわらず、供給電圧を与えられない。
【００１５】
それによりハーフブリッジインバータＨＷ１も昇圧回路ＨＳ１もその作動を開始し得ない。ハーフブリッジインバータＨＷ１及び昇圧回路ＨＳ１の立上がりは、予め端子ｊ１２、ｊ１３へのランプＬＰ１の少なくとも１つの誘導コイルＬ３１の接続により直流電流経路が閉じられた後に、初めて行われる。無電極式放電ランプＬＰ１が多くの、たとえば２つの誘導コイルＬ３１を有するならば、これらの誘導コイルは同じく、誘導コイルＬ３１に並列に接続されるように、端子ｊ１２、ｊ１３に接続される。
【００１６】
【特許文献１】
特開２０００−１００５８９号公報
【００１７】
【特許文献２】
特表２００１−５２２５２４９号公報
【００１８】
【発明が解決しようとする課題】
上記従来例１においては、誘導コイルＪ５が何らかの原因で外れた場合に、メインアンプＪ３やマッチング回路Ｊ４の定数によっては、直流電源ＪＥの出力電流が正常点灯状態と比較して実質的に差がない場合があり、誘導コイルＪ５外れ等の異常状態の検出ができない場合があった。
【００１９】
また、上記従来例２においては、端子ｊ１２及びｊ１３が外れ、誘導コイルＬ３１自体が外れた場合でも、電圧変換器ＨＷ１等を動作させないようにし、従来例１における問題の起こる可能性を低くしているが、インダクタＬ３０や誘導コイルＬ３１等の高周波電流が流れるインピーダンス素子が検出回路と兼用されているため、高周波雑音がコンデンサＣ３０→昇圧回路ＨＳ１→電源電圧整流器ＧＬ１の経路で流れやすくなり、端子ｊ１０及びｊ１１から入力されている電源側に帰還する高周波雑音が多くなる、という問題があった。
【００２０】
本発明は、上記問題点に鑑みてなしたものであり、その目的とするところは、高周波雑音を増加させることなく誘導コイルが外れる等の異常状態が発生した場合にも、異常状態の検出感度を向上させた無電極放電灯点灯装置及び照明装置を提供することにある。
【００２１】
【課題を解決するための手段】
請求項１記載の無電極放電灯点灯装置は、直流電源と、直流電源の両端に接続され少なくとも１つのスイッチング素子を有するとともに直流電源を高周波電源に変換する電力変換回路と、電力変換回路の両端に接続され電力変換回路からの高周波電力が印加される誘導コイルと、誘導コイルに近接配置され高周波電力により点灯する無電極放電灯と、一端が直流電源の負側に接続されるとともに直流電源の負側の電位と高周波電圧の小さい側のピーク電位とが異なる場合には通常点灯時よりも無電極放電灯の消費電力が少なくとも小さくなるようにスイッチング素子を制御する制御手段と、を備えたことを特徴とするものである。
【００２２】
このような無電極放電灯点灯装置においては、直流電源の負側の電位と高周波電圧の小さい側のピーク電位とが異なる場合、すなわち、誘導コイル外れ等の異常状態が発生した場合に無電極放電灯の消費電力が小さくなる。
【００２３】
請求項２記載の無電極放電灯点灯装置は、請求項１記載の無電極放電灯点灯装置において、電力変換回路と誘導コイルとを接続する電線及び直流電源と制御手段とを接続する電線を一括する一括電線を備えたことを特徴とするものである。
【００２４】
このような無電極放電灯点灯装置においては、電力変換回路と誘導コイルとを接続する電線が外れた場合に、直流電源と制御手段とを接続する電線も同時に外れる。
【００２５】
請求項３記載の無電極放電灯点灯装置は、請求項２記載の無電極放電灯点灯装置において、一括電線は同軸線であることを特徴とするものである。
【００２６】
このような無電極放電灯点灯装置においては、電力変換回路と誘導コイルとを接続する電線が外れた場合に、直流電源と制御手段とを接続する電線も同時に外れる。
【００２７】
請求項４記載の無電極放電灯点灯装置は、請求項１記載の無電極放電灯点灯装置において、直流電源の負側の電位と高周波電圧の小さい側のピーク電位とが所定の時間異なる場合には、通常点灯時よりも無電極放電灯の消費電力が少なくとも小さくなるようにスイッチング素子を制御することを特徴とするものである。
【００２８】
このような無電極放電灯点灯装置においては、誘導コイル外れ等の異常状態が発生した場合に所定の時間は通常点灯時よりも無電極放電灯の消費電力が小さくなる。
【００２９】
請求項５記載の無電極放電灯点灯装置は、請求項１記載の無電極放電灯点灯装置において、直流電源の負側の電位と高周波電圧の小さい側のピーク電位とが異なる場合において、再び直流電源の負側の電位と高周波電圧の小さい側のピーク電位が同じになったときは同電位になったことを検出する検出手段を設け、所定の時間無電極放電灯に電力が供給されないようにスイッチング素子を制御することを特徴ものである。
【００３０】
このような無電極放電灯点灯装置においては、異常状態が発生した後に再び通常状態に戻った場合でも、所定の時間は無電極放電灯に電力が供給されない。
【００３１】
請求項６記載の無電極放電灯点灯装置は、請求項５記載の無電極放電灯点灯装置において、無電極放電灯に電力が供給されないようにスイッチング素子を制御する解除手段を設け、解除手段に解除信号が入力されるまでは無電極放電灯に電力が供給されないようにスイッチング素子を制御することを特徴とするものである。
【００３２】
このような無電極放電灯点灯装置においては、異常状態が発生した後に再び通常状態に戻った場合でも、解除信号が入力されるまでは無電極放電灯に電力が供給されない。
【００３３】
請求項７記載の無電極放電灯点灯装置は、請求項１から６のいずれかに記載の無電極放電灯点灯装置において、無電極放電灯が、少なくとも水銀及び希ガスを含む放電ガスが内部に封入されており断面凹形状の空洞部を有する略球形状のバルブと、空洞部内に配設され放電ガスに高周波電磁界を供給する誘導コイルと、誘導コイルが巻回される磁気性材料で円筒状のコアと、コアの内側であってコアと接触する熱伝導性材料の部材と、を備えたことを特徴とするものである。
【００３４】
このような無電極放電灯点灯装置においては、無電極放電灯の空洞部内に誘導コイルが配設、収容されているので、無電極放電灯点灯装置全体の形状をコンパクトにすることができる。
【００３５】
請求項８記載の無電極放電灯点灯装置は、請求項１から６のいずれかに記載の無電極放電灯点灯装置を備え、請求項７記載の無電極放電灯を点灯させることを特徴とするものである。
【００３６】
【発明の実施の形態】
（実施例１）
以下、本発明の第１の実施の形態を図１から図７までを参照して説明する。図１は本実施の形態の回路図を示しており、図２は無電極放電灯６の断面図を示している。また、図３及び図４は一括電線の態様を示しており、図５は照明装置の断面図を示している。さらに、図６は本実施の形態の応用例を示しており、図７は本実施の形態の応用例の応用例を示している。
【００３７】
以下、各部の構成を詳述する。
【００３８】
交流電源ＡＣは、商用の交流電源であり、電圧は、たとえば、１００Ｖ、２００Ｖ又は２４０Ｖである。
【００３９】
整流回路Ｅは、交流電源ＡＣからの交流電圧を脈流状の直流電圧に整流し出力するものであり、たとえば、ダイオードブリッジで構成する。交流電源ＡＣの電圧が１００Ｖの場合、ダイオードブリッジの代わりに、たとえば、倍電圧整流回路を用いてもよい。倍電圧整流回路を用いると、交流電源ＡＣの電圧が実質的に２００Ｖと同等とみなせ、倍電圧整流回路以後に接続されている回路に流れる電流が、ダイオードブリッジを用いた場合と比べ約半分となるので、無電極放電灯点灯装置の効率を上げることができる。
【００４０】
この交流電源ＡＣと整流回路Ｅとにより、直流電源を構成している。ここで、整流回路Ｅの後段に、たとえば、特開２００１−３５５６８号公報の第１図に示されているような整流回路Ｅからの脈流状の直流電圧を所望の直流電圧に変換し出力する昇圧チョッパ回路を設け、交流電源ＡＣ、整流回路Ｅ及び昇圧チョッパ回路から直流電源を構成しても構わない。また、昇圧チョッパ回路に代えて、昇降圧チョッパ回路あるいは降圧チョッパ回路を設けてもよい。
【００４１】
発振回路１は、後述するプリアンプ２に高周波電力を出力するものであり、水晶振動子ＸとトランジスタＱ１とから無調整の発振器を構成しており、またコイルＬ１とコンデンサＣ１により低Ｑの同調回路を構成している。
【００４２】
プリアンプ２は、駆動トランスＴ１を介して後述する電力変換回路３に高周波電力を出力するものであり、発振回路１の高周波出力をスイッチング素子（パワーＭＯＳＦＥＴ）Ｑ２によりＣ級増幅し、コイルＬ２とコンデンサＣ２により発振周波数に同調するようにしている。
【００４３】
電力変換回路３は、プリアンプ２の出力をさらに電力増幅して高周波電力を出力するものであり、スイッチング素子（パワーＭＯＳＦＥＴ）Ｑ３及びＱ４とインダクタＬｓとコンデンサＣｐとから構成されている。この電力変換回路３のスイッチング素子Ｑ３及びＱ４のオン／オフ動作により、直流電圧Ｅは矩形波電圧に変換される。電力変換回路３として本実施の形態では、いわゆるハーフブリッジ型のインバータ回路を用いている。もちろん電力変換回路３は、その他フルブリッジ型、１石型、あるいは、プッシュプル型であってもよい。
【００４４】
マッチング回路４は、電力変換回路３の出力と後段の無電極放電灯６及び高周波電力供給用の誘導コイル５との間に設けられ、両方のインピーダンスのマッチングを取り、反射を無くして無電極放電灯６に効率良く高周波電力を伝達するようにインピーダンス整合を行うものである。このマッチング回路４はコンデンサＣｓから構成されており、マッチング回路４の出力端は端子ａ及びｂを介して後述する誘導コイル５に接続されている。
【００４５】
無電極放電灯６は、誘導コイル５に近接配置され高周波電力により点灯するものである。ここで無電極放電灯６を図２を参照して、さらに詳しく説明する。
【００４６】
この無電極放電灯６は少なくとも水銀及び希ガスを含む放電ガスが内部に封入されており断面凹形状の空洞部４５を有する略球形状のバルブ４１と、空洞部４５内に配設され放電ガスに高周波電磁界を供給する誘導コイル５と、誘導コイル５が巻回される磁気性材料で円筒状のコア４３と、コア４３の内側であってコア４３と接触する熱伝導性材料の部材４２と、を備えている。
【００４７】
バルブ４１は、略球形状であってその内部に少なくとも水銀及び希ガスを含む放電ガスを封入しておくものであり、バルブ４１の下端側には有底状であって断面凹形状の空洞部４５が設けられている。バルブ４１の材料は石英ガラス等の透光性材料であり、放電ガスは水銀、希ガス及び金属ハロゲン化物である。また、バルブ４１の内側は蛍光体３６及び保護膜３７が塗布されている。蛍光体３６は水銀からの放射された紫外線を可視光に変換するものであり、蛍光体３６の材料としてはハロ燐酸カルシウム、赤色蛍光体である（Ｙ、Ｇｄ）ＢＯ３：Ｅｕ、緑色蛍光体であるＣａＰＯ４、青色蛍光体であるＢａＭｇＡｌｌ４Ｏ２３：Ｅｕが用いられる。保護膜３７は水銀とバルブ４１の材料である石英ガラスとの反応を抑えることにより、バルブ４１の光束維持率を向上させるものである。保護膜３７の材料としては、アルミナ（Ａｌ２Ｏ３）、シリカ（ＳｉＯ２）、チタニア（ＴｉＯ２）、セリア（ＣｅＯ２）、イットリア（Ｙ２Ｏ３）、マグネシア（ＭｇＯ）等の微粒子が用いられる。保護膜３７は、通常のバルブ４１では透過率が高い方が望ましいため、蛍光体３６に比べ薄くバルブ４１内面に形成される。
【００４８】
誘導コイル５は、バルブ４１内部の放電ガスに１３．５６ＭＨｚで発振する高周波電磁界を供給するものであり、一方はコア４３に巻回されており、他方はマッチング回路４に接続されている。本実施の形態では、放電ガスに１３．５６ＭＨｚの高周波電磁界を供給しているが、放射雑音による他の電気機器への悪影響を少なくできる２．６ＭＨｚ〜１５ＭＨｚ程度であれば、他の周波数でもよい。ここで、誘導コイル５は銅又は銅合金による条材を所定回数巻回して形成している。そして、誘導コイル５には電力変換回路３が動作すると高周波電流が流れ、誘導コイル５の周りに高周波電磁界が発生するように構成されている。
【００４９】
つぎに、発生した高周波電磁界によりバルブ４１内部の電子が加速され、放電ガスの原子に衝突して放電ガスを電離させ、新たな電子を発生させる。このようにして発生した電子は、誘導コイル５の周りに発生した高周波電磁界によりエネルギーを受け取り、放電ガス原子に衝突しエネルギーを与える。放電プラズマ内の原子は、電離したり励起したりする。励起された原子は、基底状態に戻るときに発光する。この発光を光エネルギーとして利用するのである。
【００５０】
フィルタ回路７は、電力変換回路３からの高周波が直流電源側に帰還することを防ぐものであり、直流電源と電力変換回路３の間に挿入されるとともにインダクタＬ３とコンデンサＣ３とからローパスフィルタを構成している。
【００５１】
制御手段８は、誘導コイル５が外れた場合にプリアンプ２及び電力変換回路３の動作を停止させるものであり、抵抗Ｒ２及びＲ３と、コンデンサＣ０と、スイッチング素子Ｑ６と、から構成されている。また、スイッチング素子Ｑ６のソースの電位と整流回路Ｅの負側の電位とは同じであり、さらに、スイッチング素子Ｑ６のドレインが、スイッチング素子Ｑ２のゲートに接続されるダイオードＤ１とスイッチング素子Ｑ４のゲートに接続されるダイオードＤ２と、に接続されている。そして、端子ｂと誘導コイル５との間とスイッチング素子Ｑ６ゲートとが接続されており、この接続線内に端子ｃが設けられている。ここで、マッチング回路４の出力端と誘導コイル５とを接続する２本の電線と、誘導コイル５との間とスイッチング素子Ｑ６ゲートとを接続する１本の電線とは、全て一括されている。すなわち、端子ａ、ｂ及びｃの接続が解除されるときは、全ての端子が同時に接続解除され、たとえば、端子ａだけが単独で接続解除されるということはない。
【００５２】
ここで、上記の電線を全て一括する態様としては図３（ａ）及び図３（ｂ）に示すものが挙げられる。
【００５３】
図３（ａ）に示す電線は、芯線１５及び１６とシールド部１７とを有するケーブル３０であり、さらに詳しく説明すると、図４に示すようにマッチング回路４の出力端と誘導コイル５とを接続する２本の電線ａ−ａ’及びｂ−ｂ’が芯線１５及び１６に対応し、その芯線１５及び１６の外周をシールド部１７が覆っている。そして、このシールド部１７内に誘導コイル５との間とスイッチング素子Ｑ６ゲートとを接続する１本の電線ｃ−ｃ’が設けられている。
【００５４】
また、ケーブル３０の態様としては、図３（ｂ）に示す同軸構造のものでもよく、マッチング回路４の出力端と誘導コイル５とを接続する２本の電線のどちらか１本に対応する芯線１２の外周を内側シールド部１３が覆っている。そして、この内側シールド部１３内にマッチング回路４の出力端と誘導コイル５とを接続する２本の電線のどちらかもう１本の電線が設けられており、さらにこの内側シールド部１３の外周を外側シールド部１４が覆っている。そして、この外側シールド部１４内にスイッチング素子Ｑ６ゲートとを接続する１本の電線が設けられている。ここで芯線１２と内側シールド部１３との間、及び内側シールド部１３と外側シールド部１４との間にはそれぞれ絶縁体３１が設けられている。ここで、図３（ａ）及び図３（ｂ）に示すケーブルともに、高周波電流が流れるマッチング回路４の出力端と誘導コイル５とを接続する２本の電線をシールド部が覆っているため、このケーブル３０内で発生する高周波の放射雑音を抑制することができる。
【００５５】
また、この無電極放電灯６と無電極放電灯点灯装置とから図５に示すような照明装置が構成されている。この照明装置はバルブ４１の上方を取り外し自在であって、無電極放電灯６からの放射ノイズ等を吸収するシールドケース４０が覆っており、基台４８には部材４２が立設固定されている。もちろん、無電極放電灯６を点灯させる照明装置としては、このものに限られない。
【００５６】
つぎに上記のような構成において、何らかの異常状態が発生し誘導コイル５が外れた場合の動作を説明する。
【００５７】
誘導コイル５が外れると、誘導コイル５とマッチング回路４の出力端との接続が端子ａ、ｂを介して解除される。このとき、端子ａ、ｂ及びｃは上述したように一括して解除されるので、同時に誘導コイル５と制御手段８との接続も解除される。すると、抵抗Ｒ０を介して充電されたコンデンサＣ０の電圧がスイッチング素子Ｑ６のゲートに印加され、スイッチング素子Ｑ６はオン状態となる。この結果、ダイオードＤ２を介してスイッチング素子Ｑ４のゲートから電荷が引き抜かれ、スイッチング素子Ｑ４はオフ状態となり、電力変換回路３は動作を停止する。これと同時にダイオードＤ１を介してスイッチング素子Ｑ２のゲートから電荷が引き抜かれ、プリアンプ２も動作を停止する。
【００５８】
すなわち、電力変換回路３やマッチング回路４の定数及び使用している電子部品の種類にかかわらず、誘導コイル５が外れた場合に確実に電力変換回路３及びプリアンプ２の動作を停止させることができる。
【００５９】
また、電力変換回路３が停止するので、マッチング回路４の出力端には電圧が発生せず、使用者が誤ってマッチング回路４の出力端に触れた場合にでも、感電するおそれがない。
【００６０】
さらに、電力変換回路３が停止するので、インダクタＬｓに進相電流が流れることがなく、スイッチング素子Ｑ３及びＱ４にダメージを与えることもない。
【００６１】
さらにまた、無電極放電灯６が通常点灯時に誘導コイル５の外れを検出するための電流は、コンデンサＣ０の正極側→抵抗Ｒ３→端子ｃ→端子ｂ→コンデンサＣ０の負極側の経路で流れており、この電流経路には高周波電流が流れるインダクタＬｓ等を含んでいないので、高周波電流による誤動作が起こりにくい。また、この電流経路には高周波成分が含まれていないので、この制御手段８を無電極放電灯点灯装置に付加したことにより、交流電源ＡＣ側に高周波雑音が帰還することもない。
【００６２】
また、本実施の形態の応用例として図６に示すものが挙げられる。
【００６３】
このものは図１に示す制御手段８において、スイッチング素子Ｑ６のゲート・ソース間にコンデンサＣ１０を設けている。
【００６４】
このような構成において、何らかの異常状態が発生し誘導コイル５が外れた場合、スイッチング素子Ｑ６をオンするための閾値電圧まで、抵抗Ｒ３を介したコンデンサＣ１０の電圧が上昇するまでの時間は抵抗Ｒ３及びコンデンサＣ１０で決まる時定数により決まる。すなわち誘導コイル５が短期間外れた場合においてもただちに、電力変換回路３及びプリアンプ２の動作が停止しない。これにより、たとえば誘導コイル５とマッチング回路４との接続にチャタリング等が発生しても、チャタリング等による誤動作を防止することができる。
【００６５】
また、上記本実施の形態の応用例のさらに応用例として、図７に示すものが挙げられる。
【００６６】
このものは図７に示す制御手段８において、端子ｃとスイッチング素子Ｑ６のゲートとの間に抵抗Ｒ５を設けている。ここで、コンデンサＣ０の両端電圧は抵抗Ｒ３とＲ５により分圧されており、抵抗Ｒ５の両端にかかる電圧はスイッチング素子Ｑ６をオンするための閾値電圧よりも低く設定している。
【００６７】
このような構成において、誘導コイル５が外れた場合には図１に示したものと同様に所定の時間後に電力変換回路３及びプリアンプ２の動作が停止する。その後、再び誘導コイル５が装着された場合を考える。この誘導コイル５が再装着された状態においては、コンデンサＣ１０の両端電圧は、コンデンサＣ０の両端電圧とほぼ等しくなっており、その後コンデンサＣ１０の電荷は、コンデンサＣ１０→抵抗Ｒ５→端子ｃ→端子ｂ→コンデンサＣ１０の経路で放電される。この放電速度はコンデンサＣ１０と抵抗Ｒ５との時定数で決まるのだが、このコンデンサＣ１０の両端電圧がスイッチング素子Ｑ６をオンするための閾値電圧よりも低くなると、スイッチング素子Ｑ６はオフし、再び無電極放電灯６は点灯する。すなわち、誘導コイル５が再装着された直後には、無電極放電灯６は点灯しないので、交流電源ＡＣが投入された状態で、使用者が誘導コイル５を装着する場合において、誤って誘導コイル５が接続されている電線に触れてしまったときにも感電するおそれがない。
【００６８】
（実施例２）
以下、本発明の第２の実施の形態を図８を参照して説明する。図８は本実施の形態の回路図を示している。ここで、第１の実施の形態と同一構成には同一符号を付すことにより説明を省略する。
【００６９】
図８に示した無電極放電灯点灯装置と図１に示した放電灯点灯装置との相違点は、図８の無電極放電灯点灯装置では、コンデンサＣ０と並列に抵抗Ｒ１６、Ｒ１７の直列回路と抵抗Ｒ１５、Ｒ１８の直列回路がそれぞれ接続され、抵抗Ｒ１６、Ｒ１７の直列回路の中点と抵抗Ｒ１５、Ｒ１８の直列回路の中点がそれぞれコンパレータＩＣ４の反転入力端子と非反転入力端子に接続され、コンパレータＩＣ４の出力端子はダイオードＤ１１、抵抗Ｒ１９、Ｒ２０の直列接続を介して端子ｃに接続され、同時にコンパレータＩＣ４の出力端子はスイッチング素子Ｑ４のゲートに接続されている点である。
【００７０】
このような構成において、誘導コイル５が正常に接続されている場合は、コンパレータＩＣ４の反転入力端子には、抵抗Ｒ１７／（抵抗Ｒ１６＋抵抗１７）で決まる電圧が印加されており、コンパレータＩＣ４の非反転入力端子には、抵抗Ｒ１８／／抵抗Ｒ２０／（抵抗Ｒ１５＋抵抗Ｒ１８／／抵抗Ｒ２０）で決まる電圧が印加されている。ここで、反転入力端子の電圧＞非反転入力端子の電圧ならば、コンパレータＩＣ４はオン信号を出力せず、したがって、スイッチング素子Ｑ４はオン状態にならない。
【００７１】
つぎに、誘導コイル５が外れた場合には、コンパレータＩＣ４の非反転入力端子には、抵抗Ｒ１８／（抵抗Ｒ１５＋抵抗Ｒ１８）で決まる電圧が印加される。ここで、抵抗Ｒ１８／（抵抗Ｒ１５＋抵抗Ｒ１８）で決まる電圧＞抵抗Ｒ１８／／抵抗Ｒ２０／（抵抗Ｒ１５＋抵抗Ｒ１８／／抵抗Ｒ２０）で決まる電圧なので、コンパレータＩＣ４の非反転入力端子に印加される電圧が上昇し、非反転入力端子の電圧＞反転入力端子の電圧となり、コンパレータＩＣ４はオン信号を出力し、スイッチング素子Ｑ４はオン状態となる。すると、第１の実施の形態と同様に電力変換回路３及びプリアンプ２の動作が停止する。
【００７２】
ここで、スイッチング素子Ｑ４はオン状態となると、コンパレータＩＣ４の非反転入力端子には、抵抗Ｒ１８／（抵抗Ｒ１５／／抵抗Ｒ１９＋抵抗Ｒ１８）で決まる電圧が印加され、非反転入力端子に印加される電圧は増加するが、コンパレータＩＣ４はオン信号を出力し続け、いわゆるラッチ状態が継続する。
【００７３】
つぎに、誘導コイル５が再装着された場合にはコンパレータＩＣ４の非反転入力端子には、抵抗Ｒ１８／／抵抗Ｒ２０／（抵抗Ｒ１５／／抵抗Ｒ１９＋抵抗Ｒ１８／／抵抗Ｒ２０）で決まる電圧が印加され、抵抗Ｒ１８／（抵抗Ｒ１５／／抵抗Ｒ１９＋抵抗Ｒ１８）で決まる電圧＞抵抗Ｒ１８／／抵抗Ｒ２０／（抵抗Ｒ１５／／抵抗Ｒ１９＋抵抗Ｒ１８／／抵抗Ｒ２０）で決まる電圧なので非反転入力端子に印加される電圧は減少するが、抵抗Ｒ１８／／抵抗Ｒ２０／（抵抗Ｒ１５／／抵抗Ｒ１９＋抵抗Ｒ１８／／抵抗Ｒ２０）で決まる電圧＞抵抗Ｒ１７／（抵抗Ｒ１６＋抵抗１７）で決まる電圧と設定しているとすると、誘導コイル５が再装着された場合にもラッチ状態が継続することになる。すなわち、誘導コイル５が再装着された直後には、無電極放電灯６は点灯しないので、交流電源ＡＣが投入された状態で、使用者が誘導コイル５を装着する場合において、誤って誘導コイル５が接続されている電線に触れてしまったときにも感電するおそれがない。
【００７４】
ここで、ラッチ状態を解除するためには、一旦、交流電源ＡＣを遮断するなどして、コンデンサＣ０の両端電圧をゼロ付近にまで放電させればよい。このようにすると、ラッチ状態が解除され、無電極放電灯６は再び点灯することになる。
【００７５】
また、本実施の形態の応用例として図９に示すものが挙げられる。
【００７６】
このものは、図８に示した無電極放電灯点灯装置において、抵抗Ｒ１８の両端にラッチ状態を解除するためのスイッチＳＷを設けている。
【００７７】
このような構成においては、誘導コイル５が再装着された場合にスイッチＳＷをオン状態にすることにより、非反転入力端子に印加される電圧が低下し、ラッチ状態を解除することができる。すなわち、上記実施の形態のようにコンデンサＣ０の両端電圧をゼロ付近にまで放電させなくても、ラッチ状態を解除することができ、交流電源ＡＣを投入した状態でも自由にラッチ状態を解除することができる。
【００７８】
なお、本実施の形態で特に言及していない作用・効果等は第１の実施の形態と同様である。
【００７９】
（実施例３）
以下、本発明の第３の実施の形態を図１０を参照して説明する。図１０は本実施の形態の回路図を示している。ここで、第２の実施の形態と同一構成には同一符号を付すことにより説明を省略する。
【００８０】
図１０に示した無電極放電灯点灯装置と図２に示した放電灯点灯装置との相違点は、図１０の無電極放電灯点灯装置では、整流回路Ｅからマッチング回路４までを包囲する金属筐体１０を設け、誘導コイル５を含む無電極放電灯６を包囲する金属筐体１１を設け、金属筐体１０と金属筐体１１とを電線ｄ−ｄ’で接続し、金属筐体１０と金属筐体１１とを同電位としたことである。金属筐体１０及び金属筐体１１としては、たとえば、図５に示したシールドケース４０のようなものでもよい。また、電線ｄ−ｄ’は、図４で示した電線と一括されており、その一括態様としては、図３（ａ）に示したものと類似の図１１（ａ）に示すものである。すなわち、図１１（ａ）に示す一括電線は、芯線１８、１９及び２０とシールド部２１とを有するケーブル３０’であり、芯線１８、１９及び２０が電線ａ−ａ’、ｂ−ｂ’及びｃ−ｃ’とそれぞれ対応し、各芯線の外周をシールド部２１が覆っている。そして、このシールド部１７内に電線ｄ−ｄ’が設けられている。
【００８１】
また、ケーブル３０の態様としては、図３（ｂ）に示したものと類似の図１１（ｂ）示す同軸構造のものでもよく、電線ａ−ａ’又はｂ−ｂ’のどちらか１本に対応する芯線２２の外周を内側から順番にシールド部２３、２４及び２５が覆っている。そして、各シールド部２３、２４及び２５内に電線ａ−ａ’又はｂ−ｂ’のどちらか１本、ｃ−ｃ’及びｄ−ｄ’のどちらか１本がそれぞれ設けられている。ここで芯線２２と各シールド部２３、２４及び２５との間にはそれぞれ絶縁体３１が設けられている。
【００８２】
このような構成においては、金属筐体１０と金属筐体１１とを同電位とし、高周波電流が流れる電線ａ−ａ’及びｂ−ｂ’をシールド部が覆っているため、このケーブル３０内で発生する高周波の放射雑音を第１の実施の形態よりもさらに抑制することができる。
【００８３】
ここで、マッチング回路４は端子ａ’及びｂ’と誘導コイル５との間に接続しても構わない。
【００８４】
なお、本実施の形態で特に言及していない作用・効果等は第１の実施の形態と同様である。
【００８５】
（実施例４）
以下、本発明の第４の実施の形態を図１２を参照して説明する。図１２は本実施の形態の回路図を示している。ここで、第１の実施の形態と同一構成には同一符号を付すことにより説明を省略する。
【００８６】
図１２に示した無電極放電灯点灯装置と図１に示した放電灯点灯装置との相違点は、図１２の無電極放電灯点灯装置では、整流回路Ｅと発振回路１との間に抵抗Ｒ１を接続した点、コンデンサＣ０と並列に抵抗Ｒ２’、Ｒ３’の直列回路と抵抗Ｒ４、コンデンサＣ４の直列回路と抵抗Ｒ６、Ｒ７の直列回路と抵抗Ｒ１２、コンデンサＣ６の直列回路と抵抗Ｒ９、Ｒ１０の直列回路を接続した点、抵抗Ｒ２’、Ｒ３’の直列回路の中点と抵抗Ｒ４、コンデンサＣ４の直列回路の中点がそれぞれコンパレータＩＣ１の反転入力端子と非反転入力端子に接続された点、抵抗Ｒ５を介したコンパレータＩＣ１の出力端子と抵抗Ｒ６、Ｒ７の直列回路の中点とがそれぞれコンパレータＩＣ２の反転入力端子と非反転入力端子に接続された点、コンパレータＩＣ２の反転入力端子と回路グランドとの間にコンデンサＣ５を設けた点、ダイオードＤ３及び抵抗Ｒ８を介したコンパレータＩＣ２の出力端子と抵抗Ｒ９、Ｒ１０の直列回路の中点とがそれぞれコンパレータＩＣ３の反転入力端子と非反転入力端子に接続された点、ダイオードＤ４を介したコンパレータＩＣ３の出力端子がスイッチング素子Ｑ６’のゲートに接続された点、端子ａｘ、ｂｘ及びｃｘを有する端子片３０と各端子ａｘ、ｂｘ及びｃｘに接続される、端子ａｙ、ｂｙ及びｃｙ有する端子片３１を設けた点、スイッチング素子Ｑ６’のゲートと端子ｃｘとの間にダイオードＤ１０を設けた点、及びコンデンサＣ０と端子ｃｘとの間に抵抗Ｒ１５’を設けた点である。ここで、端子片３０及び３１は、たとえば、ＢＮＣコネクタである。
【００８７】
このような構成において、無電極放電灯６外れ等の異常状態が発生した場合には抵抗Ｒ１に流れる電流が増大しコンデンサＣ４に充電される電荷も増加する。そして、コンパレータＩＣ１の非反転入力端子に印加される電圧がコンパレータＩＣ１の反転入力端子に印加される電圧よりも大きくなり、コンパレータＩＣ１はハイ信号を出力する。このハイ信号によりコンデンサＣ５が充電され、コンパレータＩＣ２の反転入力端子に印加される電圧がコンパレータＩＣ２の非反転入力端子に印加される電圧よりも大きくなると、コンパレータＩＣ１はロー信号を出力する。すると、ダイオードＤ６を介してコンデンサＣ６の電荷が引き抜かれる。その後、コンパレータＩＣ３の非反転入力端子に印加される電圧がコンパレータＩＣ３の反転入力端子に印加される電圧よりも小さくなると、コンパレータＩＣ４はハイ信号を出力し、ダイオードＤ４を介して、スイッチング素子Ｑ６’のゲートにハイ信号が印加される。すると、スイッチング素子Ｑ６’はオン状態となり、ダイオードＤ１及びＤ２を介して、スイッチング素子Ｑ２及びスイッチング素子Ｑ４のゲートの電荷が引き抜かれ、第１の実施の形態と同様に電力変換回路３及びプリアンプ２の動作が停止する。
【００８８】
以上、本実施の形態では誘導コイル５が外れた場合以外の異常状態、たとえば、無電極放電灯６外れやバルブ４１の割れ等の異常状態が発生した場合にも、電力変換回路３及びプリアンプ２の動作が停止することができる。
【００８９】
なお、本実施の形態で特に言及していない作用・効果等は第１の実施の形態と同様である。
【００９０】
【発明の効果】
請求項１記載の無電極放電灯点灯装置は、直流電源の負側の電位と高周波電圧の小さい側のピーク電位とが異なる場合には通常点灯時よりも無電極放電灯の消費電力が小さくなるようにスイッチング素子を制御するので、誘導コイル外れ等の異常状態が発生した場合に無電極放電灯の消費電力を小さくすることができる。
【００９１】
請求項２又は３記載の無電極放電灯点灯装置は、電力変換回路と誘導コイルとを接続する電線及び直流電源と制御手段とを接続する電線を一括しているので、電力変換回路と誘導コイルとを接続する電線が外れた場合に、直流電源と制御手段とを接続する電線も同時に外すことができる。
【００９２】
請求項４記載の無電極放電灯点灯装置は、直流電源の負側の電位と高周波電圧の小さい側のピーク電位とが所定の時間異なる場合には、通常点灯時よりも無電極放電灯の消費電力が小さくなるようにスイッチング素子を制御しているので、誘導コイル外れ等の異常状態が発生した場合に所定の時間は通常点灯時よりも無電極放電灯の消費電力が小さくすることができる。
【００９３】
請求項５記載の無電極放電灯点灯装置は、直流電源の負側の電位と高周波電圧の小さい側のピーク電位とが異なる場合において、再び直流電源の負側の電位と高周波電圧の小さい側のピーク電位が同じになったときは同電位になったことを検出する検出手段を設け、所定の時間無電極放電灯に電力が供給されないようにスイッチング素子を制御しているので、異常状態が発生した後に再び通常状態に戻った場合でも、所定の時間は無電極放電灯に電力が供給されない。
【００９４】
請求項６記載の無電極放電灯点灯装置は、無電極放電灯に電力が供給されないようにスイッチング素子を制御する解除手段を設け、解除手段に解除信号が入力されるまでは無電極放電灯に電力が供給されないようにスイッチング素子を制御しているので、異常状態が発生した後に再び通常状態に戻った場合でも、解除信号が入力されるまでは無電極放電灯に電力が供給されない。
【００９５】
請求項７記載の無電極放電灯点灯装置は、無電極放電灯が、少なくとも水銀及び希ガスを含む放電ガスが内部に封入されており断面凹形状の空洞部を有する略球形状のバルブと、空洞部内に配設され放電ガスに高周波電磁界を供給する誘導コイルと、誘導コイルが巻回される磁気性材料で円筒状のコアと、コアの内側であってコアと接触する熱伝導性材料の部材と、を備えており、無電極放電灯の空洞部内に誘導コイルが配設、収容されているので、無電極放電灯点灯装置全体の形状をコンパクトにすることができる。
【図面の簡単な説明】
【図１】第１の実施の形態を示す回路図である。
【図２】第１の実施の形態において、無電極放電灯を示す断面図である。
【図３】第１の実施の形態において、一括電線の態様を示す図である。
【図４】第１の実施の形態において、一括電線の態様を示す他の図である。
【図５】第１の実施の形態において、照明装置を示す断面図である。
【図６】第１の実施の形態の応用例を示す回路図である。
【図７】第１の実施の形態の応用例の応用例を示す回路図である。
【図８】第２の実施の形態を示す回路図である。
【図９】第２の実施の形態の応用例を示す回路図である。
【図１０】第３の実施の形態を示す回路図である。
【図１１】第３の実施の形態において、一括電線の態様を示す図である。
【図１２】第４の実施の形態を示す回路図である。
【図１３】従来例を示す回路図である。
【図１４】従来例において、保護回路Ｊ８を示す回路図である。
【図１５】別の従来例を示す回路図である。
【符号の説明】
ＡＣ　　　　　　交流電源（直流電源の一部）
Ｅ　　　　　　　整流回路（直流電源の一部）
Ｑ３、Ｑ４　　　スイッチング素子
３　　　　　　　電力変換回路
５　　　　　　　誘導コイル
６　　　　　　　無電極放電灯
８　　　　　　　制御手段（検出手段、解除手段を含む）
３０　　　　　　一括電線（ケーブル）
Ｒ５　　　　　　抵抗（検出手段の一部）
Ｃ１０　　　　　コンデンサ（検出手段の一部）
Ｒ１５〜Ｒ２０　抵抗（解除手段の一部）
ＩＣ４　　　　　コンパレータ（解除手段の一部）
４１　　　　　　バルブ
４２　　　　　　部材
４３　　　　　　コア
４５　　　　　　空洞部
【図１】
2004139852.tif 000003
【図２】
2004139852.tif 000004
【図３】
2004139852.tif 000005
【図４】
2004139852.tif 000006
【図５】
2004139852.tif 000007
【図６】
2004139852.tif 000008
【図７】
2004139852.tif 000009
【図８】
2004139852.tif 000010
【図９】
2004139852.tif 000011
【図１０】
2004139852.tif 000012
【図１１】
2004139852.tif 000013
【図１２】
2004139852.tif 000014
【図１３】
2004139852.tif 000015
【図１４】
2004139852.tif 000016
【図１５】
2004139852.tif 000017